(57)【要約】【課題】ヒューマンエラーを低減し、設備を運用状態に保ちながら簡単な手順で安全に電圧電流の計測ができること。【解決手段】変圧器二次側から配電盤への電圧信号を分岐して、各相の電圧信号を接続するための変圧器試験用プラグ１２１と、変流器二次側から配電盤へ入力する各相の電流信号を接続するための変流器試験用プラグ１２２と、変圧器試験用プラグを通して入力される各相の電圧信号を切り替えて電圧測定手段へ接続する電圧出力切替手段１０１と、変流器試験用プラグを通して入力される各相の電流信号を配電盤へ接続すると共に、配電盤への電流信号が開放状態になることを防止しつつ電流信号を電流測定手段へ切り替える電流出力切替手段１０２とを備える。【選択図】  図２
2005080320.tif 000002
【特許請求の範囲】
【請求項１】
変圧器二次側から配電盤への電圧信号を分岐して、各相の電圧信号を接続するための変圧器試験用プラグと、変流器二次側から配電盤へ入力する各相の電流信号を接続するための変流器試験用プラグと、前記変圧器試験用プラグを通して入力される各相の電圧信号を切り替えて電圧測定手段へ接続する電圧出力切替手段と、前記変流器試験用プラグを通して入力される各相の電流信号を配電盤へ接続すると共に、配電盤への電流信号が開放状態になることを防止しつつ電流信号を電流測定手段へ切り替える電流出力切替手段と、を備えたことを特徴とする配電盤用電圧電流測定装置。
【請求項２】
変圧器二次側から配電盤への電圧信号を分岐して、各相の電圧信号を接続するための変圧器試験用プラグの装着手段と、変流器二次側から配電盤へ入力する各相の電流信号を接続するための変流器試験用プラグの装着手段と、前記変圧器試験用プラグを通して入力される各相の電圧信号を切り替えて電圧測定手段へ接続する電圧出力切替手段と、前記変流器試験用プラグを通して入力される各相の電流信号を配電盤へ接続すると共に、配電盤への電流信号が開放状態になることを防止しつつ電流信号を電流測定手段へ切り替える電流出力切替手段と、を備えたことを特徴とする配電盤用電圧電流測定装置。
【請求項３】
変圧器二次側から配電盤への電圧信号を分岐して、各相の電圧信号を接続するための変圧器試験用プラグと、変流器二次側から配電盤へ入力する各相の電流信号を接続するための変流器試験用プラグと、電圧信号を計測するための電圧測定手段と、電流信号を計測するための電流測定手段と、前記変圧器試験用プラグを通して入力される各相の電圧信号を切り替えて前記電圧測定手段へ接続する電圧出力切替手段と、前記変流器試験用プラグを通して入力される各相の電流信号を配電盤へ接続すると共に、配電盤への電流信号が開放状態になることを防止しつつ電流信号を前記電流測定手段へ切り替える電流出力切替手段と、を備えたことを特徴とする配電盤用電圧電流測定装置。
【請求項４】
前記電流出力切替手段は、各相電流に対して、非計測時は変流器二次側からの電流を連続して配電盤へ通電し、計測時は該通電を遮断する非計測時導通部と、計測時は電流測定手段を経由して配電盤へ通電し、非計測時は該通電を遮断する計測時導通部とを有し、前記非計測時導通部と前記計測時導通部との切替時は、配電盤および電流測定手段の双方への通電状態を経由して切り替わることを特徴とする請求項１ないし３のいずれか一に記載の配電盤用電圧電流測定装置。
【請求項５】
請求項１ないし４のいずれか一に記載の配電盤用電圧電流測定装置を用いて電力系統の電圧信号および電流信号を測定する電圧電流測定方法であって、
計測準備段階では、前記電圧電流測定装置の変圧器試験用プラグおよび変流器試験用プラグを配電盤へ挿入するステップと、
計測段階では、前記配電盤用電圧電流測定装置の電圧出力切替手段により、計測電圧を切り替えて電圧を測定するステップと、前記配電盤用電圧電流測定装置の電流出力切替手段により、計測電流を切り替えて電流を測定するステップと、を含むことを特徴とする電圧電流測定方法。
【発明の詳細な説明】
【０００１】
【発明の属する技術分野】
本発明は、電圧測定回路と電流測定回路を一体にした電圧電流測定装置に係り、特に、電力系統の変圧器二次側（以下、ＰＴ回路）および変流器二次側（以下、ＣＴ回路）から配電盤に入力される電圧信号、電流信号を測定するための配電盤用電圧電流測定装置および方法に関する。
【０００２】
【従来の技術】
従来、配電盤の電圧、電流の測定は、図１１に示すような変圧器試験用プラグ（以下、ＰＴＴプラグ）および変流器試験用プラグ（以下、ＣＴＴプラグ）を配電盤に挿入し、このプラグから電圧計、電流計に接続して、電圧、電流を測定していた。
【０００３】
以下、図１２を用いて従来のＰＴ回路の電圧測定手順を説明する。
まず、ＰＴＴプラグの各相、即ち赤相（Ｒ）、白相（Ｓ）、青相（Ｔ）、零相（Ｅ）の上下を短絡して（Ｓ５０１）、ＰＴＴプラグの各相の締め付けを確認する（Ｓ５０２）。次に、ＰＴＴプラグの導通、短絡状態をテスターでチェックし（Ｓ５０３）、続いて電圧計回路をチェックした後（Ｓ５０４）、ＰＴＴプラグを配電盤に挿入する（Ｓ５０５）。そして、相間の電圧を電圧計で測定する（Ｓ５０６）。この測定を全ての相について実施したかどうかを判定して（Ｓ５０７）、未測定の相が存在する場合は、端子を確認し、結線を変更して（Ｓ５０８）、次の相の電圧を測定する。
【０００４】
次に、図１３を用いて従来のＣＴ回路の電流測定手順を説明する。
まず、ＣＴＴプラグの計測対象の相以外の端子の上下を短絡する（Ｓ６０１）。続いて、計測対象の相へ電流計を接続して（Ｓ６０２）、ＣＴＴプラグの各相の締め付けを確認する（Ｓ６０３）。次に、ＣＴＴプラグの導通、短絡状態をテスターでチェックして（Ｓ６０４）、ＣＴＴプラグを配電盤へ挿入する（Ｓ６０５）。そして、計測対象の相の電流を測定し（Ｓ６０６）、ＣＴＴプラグを引き抜く（Ｓ６０７）。この測定を全ての相について実施したかどうかを判定して（Ｓ６０８）、未測定の相が存在する場合は、端子を確認し、結線を変更して（Ｓ６０９）、次の相の電流を測定する。このような手順により、電圧、電流の測定を行っていた。
【０００５】
ところで、従来、特開平８−１５３１５号公報の「ＣＴ試験用プラグの回路確認装置」には、配電盤等のＣＴ回路の試験や測定に使用されているＣＴ試験用プラグの回路確認を確実・容易にするため、ＣＴ試験用プラグの回路構成の良否を判定する装置が提案されている。また、特開平８−２７８３４０号公報の「ＰＴ試験用プラグの回路確認装置」には、配電盤等のＰＴ回路の試験や測定に使用されているＰＴ試験用プラグの回路確認を確実・容易にするため、ＰＴ試験用プラグの回路構成の良否を判定する装置が提案されている。
【０００６】
【発明が解決しようとする課題】
しかしながら、ＣＴ試験用プラグやＰＴ試験用プラグと電流計、電圧計との結線や測定作業は上述の図１２、図１３の手順によって人間系で行っており、多くの時間を要していた。また、同様な繰り返し動作による確認が必要で手間がかかり、確認漏れや誤結線などのヒューマンエラー、これに伴うＣＴ回路の開放による機器の損傷の可能性があった。
【０００７】
さらに、このような作業の危険性や煩雑さから運用状態での計測作業は困難であり、運用状態で計測作業を実施する場合は安全確認に多大な時間と労力を要し、また、複数の作業員による相互確認のための作業員の確保が必要であった。
【０００８】
本発明はかかる従来の事情に対処してなされたものであり、ヒューマンエラーの可能性を低減し、設備を運用状態に保ちながら簡単な手順で安全に電圧電流値を計測できる配電盤用電圧電流測定装置および方法を提供することを目的とする。
【０００９】
【課題を解決するための手段】
上記目的を達成するため、請求項１の発明に係わる配電盤用電圧電流測定装置は、変圧器二次側から配電盤への電圧信号を分岐して、各相の電圧信号を接続するための変圧器試験用プラグと、変流器二次側から配電盤へ入力する各相の電流信号を接続するための変流器試験用プラグと、変圧器試験用プラグを通して入力される各相の電圧信号を切り替えて電圧測定手段へ接続する電圧出力切替手段と、変流器試験用プラグを通して入力される各相の電流信号を配電盤へ接続すると共に、配電盤への電流信号が開放状態になることを防止しつつ電流信号を電流測定手段へ切り替える電流出力切替手段とを備えたことを特徴とする。
【００１０】
請求項１記載の発明では、変圧器試験用プラグを通して入力される各相の電圧信号を切り替えて電圧計へ接続する電圧出力切替手段と変流器試験用プラグを通して入力される各相の電流信号を配電盤へ接続する電流出力切替手段を一体として設けた。特に、電流出力切替手段は、配電盤への電流信号が開放状態になることを防止しする構成となっている。これにより、作業効率が向上すると共に変流器二次側の開放による機器の損傷を防止することが可能となる。
【００１１】
請求項２の発明に係わる配電盤用電圧電流測定装置は、変圧器二次側から配電盤への電圧信号を分岐して、各相の電圧信号を接続するための変圧器試験用プラグの装着手段と、変流器二次側から配電盤へ入力する各相の電流信号を接続するための変流器試験用プラグの装着手段と、変圧器試験用プラグを通して入力される各相の電圧信号を切り替えて電圧測定手段へ接続する電圧出力切替手段と、
変流器試験用プラグを通して入力される各相の電流信号を配電盤へ接続すると共に、配電盤への電流信号が開放状態になることを防止しつつ電流信号を電流測定手段へ切り替える電流出力切替手段とを備えたことを特徴とする。
【００１２】
請求項２記載の発明では、装着手段により、変圧器試験用プラグおよび変流器試験用プラグを着脱可能にする。これにより、プラグのみの試験、確認が可能となる。
【００１３】
ここで、「装着手段」とは、プラグと配電盤用電圧電流測定装置とを信号線ごとに接続するコネクタなどの手段や、複数の信号線を一括して接続する手段を含む趣旨である。
【００１４】
請求項３の発明に係わる配電盤用電圧電流測定装置は、変圧器二次側から配電盤への電圧信号を分岐して、各相の電圧信号を接続するための変圧器試験用プラグと、変流器二次側から配電盤へ入力する各相の電流信号を接続するための変流器試験用プラグと、電圧信号を計測するための電圧測定手段と、電流信号を計測するための電流測定手段と、変圧器試験用プラグを通して入力される各相の電圧信号を切り替えて電圧測定手段へ接続する電圧出力切替手段と、変流器試験用プラグを通して入力される各相の電流信号を配電盤へ接続すると共に、配電盤への電流信号が開放状態になることを防止しつつ電流信号を電流測定手段へ切り替える電流出力切替手段とを備えたことを特徴とする。
【００１５】
請求項３記載の発明では、配電盤用電圧電流測定装置を変圧器試験用プラグと変流器試験用プラグ、および、電圧測定手段と電流測定手段を含めて一体として構成する。これにより、結線ミスや確認作業に要する時間を大幅に削減することができる。
【００１６】
請求項４の発明に係わる配電盤用電圧電流測定装置では、さらに、電流出力切替手段は、各相電流に対して、非計測時は変流器二次側からの電流を連続して配電盤へ通電し、計測時は該通電を遮断する非計測時導通部と、計測時は電流計を経由して配電盤へ通電し、非計測時は該通電を遮断する計測時導通部とを有し、非計測時導通部と計測時導通部との切替時は、配電盤および電流計の双方への通電状態を経由して切り替わることを特徴とする。
【００１７】
請求項４記載の発明では、電流出力切替手段を非計測時導通部と計測時導通部に分け、非計測時導通部は、各相ごとに計測状態でないときは変流器二次側からの電流を配電盤へつなげ、該当する相の計測状態のときは遮断する。計測時導通部は、各相ごとに計測状態でないときは遮断し、計測状態のときは変流器二次側からの電流を電流計へつなげると共に、電流計からの電流を配電盤へ接続する。さらに、非計測状態と計測状態との切替り時は、配電盤および電流計の双方への接続状態を一時的に構成するようにする。
【００１８】
これにより、変流器二次側の開放による機器の損傷を防ぎつつ、連続して計測対象の相の切替が可能となる。
【００１９】
請求項５の発明に係わる電圧電流測定方法は、上記の配電盤用電圧電流測定装置を用いて電力系統の電圧信号および電流信号を測定する電圧電流測定方法であって、計測準備段階では、電圧電流測定装置の変圧器試験用プラグおよび変流器試験用プラグを配電盤へ挿入するステップと、計測段階では、配電盤用電圧電流測定装置の電圧出力切替手段により、計測電圧を切り替えて電圧を測定するステップと、配電盤用電圧電流測定装置の電流出力切替手段により、計測電流を切り替えて電流を測定するステップとを含むことを特徴とする。
【００２０】
請求項５記載の発明では、変圧器試験および変流器試験の各プラグを配電盤へ挿入する計測準備段階と、電圧および電流を計測する計測段階により、電圧計測作業、電流計測作業を一体として実施する。
【００２１】
これにより、計測準備と計測作業が混在するのに比べ、作業効率の向上と誤結線や短絡・接地等の作業ミスの防止を図ることが可能となる。
【００２２】
【発明の実施の形態】
以下、本発明の実施の形態を図１に基づいて説明する。
図１において、本実施の形態の配電盤用電圧電流測定装置（以下、電圧電流測定装置という）１は、ＰＴ回路からの赤相、白相、青相の三相の電圧信号を取り込む赤相入力端子１０３、白相入力端子１０４、青相入力端子１０５、および、零相入力端子１０６、さらに、各入力端子からの電圧信号を電圧計（電圧測定手段）１３１へ接続する電圧出力切替器（電圧出力切替手段）１０１と、ＣＴ回路からの赤相、白相、青相の電流信号を取り込む赤相入力端子１０７、白相入力端子１０８、青相入力端子１０９、および、中性点を接続する零相入力端子１１０、さらに、各入力端子からの電流信号を配電盤と電流計（電流測定手段）１３２へ接続する電流出力切替器（電流出力切替手段）１０２を備えている。
【００２３】
また、図２は、電圧電流測定装置の内部結線図である。
ここで、電圧電流測定装置１は、電圧切替部と電流切替部から構成されている。ＰＴ回路からの電圧信号は、ＰＴＴプラグ１２１により、配電盤側と電圧切替部側に分岐され、それぞれ入力される。電圧切替部は、電圧出力切替器１０１を計測対象の相間の位置に設定されるとその間の電圧信号が電圧計１３１へ出力されるように構成されている。たとえば、赤相（Ｒ）と白相（Ｓ）の相間電圧を測定する場合には、電圧出力切替器１０１をＲ−Ｓの位置に設定する。図２において、赤相入力端子１０３および白相入力端子１０４は、電圧出力切替器端子１１と同端子３１に接続されており、電圧出力切替器をＲ−Ｓの位置に設定されることにより、電圧出力切替器端子１２と同端子３２に接続され、端子１２と端子３２から出力される電圧信号は電圧計１３１に入力される。ここで、図２中の相間の設定位置（横方向）と電圧出力切替器端子の番号（縦方向）からなるマトリックス状の交点の黒丸は、電圧出力切替器を計測対象の相間の位置（図２中の横方向の目盛り）に合わせたときに、ＰＴ回路側の信号が電圧計１３１側へ接続されることを意味している。
【００２４】
一方、ＣＴ回路からの各相の電流信号は、ＣＴＴプラグ１２２を通して、電流切替部に入力される。電流切替部は、非計測時導通部と計測時導通部に分けられ、各相の電流入力端子は、それぞれ、電流出力切替器の非計測時導通部の端子および計測時導通部の端子に接続されている。
【００２５】
以下、赤相の電流計測回路を例に説明する。なお、以下の説明において、電流出力切替器端子を単に端子という。
赤相のＣＴ回路側入力端子（ＣＴＴ上側）１０７は、端子１２と端子６４に接続されている。また、赤相の配電盤側入力端子（ＣＴＴ下側）１１１は、端子６３と端子７３に接続されている。また、電流計１３２の赤相電流を測定するための配線として、電流計１３２の一方が、端子１１に、他方が、端子７４に夫々接続されている。
【００２６】
次に、電流出力切替器により切り替えて行ったときの赤相の電流信号の流れについて説明する。
【００２７】
電流出力切替器が、Ｔ、Ｓ、切の位置に設定されたときは、ＣＴ回路からの赤相電流信号は、端子６４から端子６３を経由してＣＴＴ下側の赤相入力端子１１１から配電盤へ入力され、配電盤からの帰還電流が零相入力端子１１４から電圧電流測定装置に入り、端子４３より端子４４を経由して、ＣＴＴ上側の零相入力端子１１０よりＣＴＴ回路へ流れる。なお、電流の向きは変わる場合がある。
【００２８】
電流出力切替器１０２が、Ｒの位置に設定されたときは、ＣＴ回路からの赤相電流信号は、端子１２から端子１１を経由して電流出力端子１１８から電流計１３２へ流れ、電流計１３２からの電流は、他方の電流出力端子１１７を通って、端子７４より端子７３を通って、ＣＴＴ下側の赤相入力端子１１１から配電盤へ入力され、配電盤からの帰還電流が零相入力端子１１４から電圧電流測定装置１に入り、端子４３より端子４４を経由して、ＣＴＴ上側の零相入力端子１１０よりＣＴＴ回路へ流れる。
【００２９】
電流出力切替器１０２が、Ｎの位置に設定されたときは、ＣＴ回路からの赤相電流信号は、端子６４から端子６３を経由してＣＴＴ下側の赤相入力端子１１１から配電盤へ入力され、配電盤からの帰還電流が零相入力端子１１４から電圧電流測定装置１に入り端子３３より端子３４を経由して、電流出力端子１１７から電流計１３２へ流れ、電流計１３２からの帰還電流は、他方の電流出力端子１１８を通って、端子４１より端子４２を通って、ＣＴＴ上側の零相入力端子１１０よりＣＴＴ回路へ流れる。
【００３０】
ここで、電流出力切替器１０２を操作することにより、計測対象がＮ→Ｔ→Ｓ→Ｒ→切→Ｎ（逆方向も含む。以下同様）と変化するとしたとき、端子６４と端子６３の接続は、切→Ｎ→Ｔ→Ｓの変化については、常に導通状態とし、Ｒの位置に設定されるときは、非導通状態となる。そして、Ｓ→Ｒ→切の変化の際、端子６４と端子６３、および、端子１２と端子１１の双方が導通の状態を経由して切り替るように構成されている。図２の計測対象相の設定位置（横方向）と電圧出力切替端子の番号（縦方向）のマトリックスの交点の黒丸が横方向に長くなっているのは、切替りにより、隣りの設定位置の夫々の端子間が共に導通の状態になるタイミングがあることを意味している。
以上は、赤相の場合の説明であるが、他の相電流についても同様である。
【００３１】
このように、電流出力切替器が計測対象相の位置に設定されたときに接続される計測時導通部（赤相の場合は端子１１，１２，７３，７４）と計測対象相以外の位置に設定されたときに接続される非計測時導通部（赤相の場合は端子６３，６４）に分けて構成することにより回路構成が単純化でき、また少ない接点数で構成することにより信頼性が向上する。
【００３２】
次に、図３と図４を用いて本実施に形態の電圧電流測定装置を用いたＰＴ回路の電圧測定方法を説明する。
【００３３】
まず、準備段階として、ＰＴＴプラグ１２１の各相の端子と電圧電流測定装置の対応する端子を接続し（Ｓ１０１）、さらに電圧計１３１を接続して（Ｓ１０２）、締付けの確認を行う（Ｓ１０３）。そして、電圧電流測定装置の電圧計測回路、即ち、各端子間の導通、開放状態をテスター等でチェックする（Ｓ１０４）。その後、ＰＴＴプラグ１２１を配電盤へ挿入する（Ｓ１０５）。
【００３４】
次に、計測段階として、電圧出力切替器を計測対象の相に設定して、相間の電圧を測定する（Ｓ１０６）。そして、電圧出力切替器を順次切り替えていき、計測対象の全ての相の電圧を測定する（Ｓ１０７、Ｓ１０８）。電圧計１３１測作業の終了により、ＰＴＴプラグ１２１を配電盤から引き抜く（Ｓ１０９）
【００３５】
次に、図３と図５を用いて本実施の形態の電圧電流測定装置を用いたＣＴ回路の電圧測定方法を説明する。
【００３６】
まず、準備段階として、ＣＴＴプラグ１２２の各相の端子と電圧電流測定装置の対応する端子を接続し（Ｓ２０１）、さらに電流計１３２を接続して（Ｓ２０２）、締付けの確認を行う（Ｓ２０３）。そして、電圧電流測定装置の電流計測回路、即ち、各端子間の導通、開放状態をテスター等でチェックする（Ｓ２０４）。その後、ＣＴＴプラグ１２２を配電盤へ挿入する。（Ｓ２０５）。
【００３７】
次に計測段階として、電流出力切替器を計測対象の相に設定して、計測対象相の電流を測定する（Ｓ１０７）。そして、電流出力切替器を順次切り替えていき、計測対象の全ての相の電流を測定する（Ｓ１０７、Ｓ１０８）。電流計測作業の終了により、ＣＴＴプラグ１２２を配電盤から引き抜く（Ｓ１０９）。
【００３８】
以上の説明では、電圧計測と電流計測を別々の手順で行うこととしたが、図６のように一つの手順として実施することもできる。図６に示す電圧測定処理と電流測定処理のフローチャートは、図４と図５に示す夫々の処理手順を一つにまとめ、計測準備処理（ステップＳ３０１〜Ｓ３０５）と計測処理（ステップＳ３０６〜Ｓ３１２）の２段階の手順にしたものである。なお、図６では、電圧と電流の２種類を測定することとしたが、必要によりいずれか一方を実施するようにしても良い。
【００３９】
このように準備段階と計測段階に分けて、電圧と電流を一連の手順で測定すれば、作業の効率が向上し、また作業ミスの削減を図ることができる。特に本実施の形態の電圧電流測定装置を用いることにより、電圧計測手順と電流計測手順を共通化できるので、作業手順の混同による人為的なミスを削減することが可能である。
【００４０】
また、本実施の形態に限らず電気設備検査・確認時の電圧・電流測定において、目的に添った測定パターンの結線を切替スイッチにより作成しておくことで結線変更時間が短縮され、短時間での測定が可能になる。さらに、用途別の専用リード線を併せて作成するようにすれば結線が明確になり、より一層誤結線や短絡、接地等のヒューマンエラーを防止することができる。
【００４１】
次に、電圧電流測定装置の他の実施例について説明する。図７は、本実施例における電圧電流測定装置と計器類の外形図である。
【００４２】
ここで、電圧電流測定装置１は、電圧電流測定装置本体１ａと、この装置本体１ａと直接繋がるＰＴＴプラグ１２１およびＣＴＴプラグ１２２で構成されている。また、電圧電流測定装置１は、電圧計１３１および電流計１３２と接続可能になっている。
【００４３】
この実施例によれば、電圧電流測定装置本体とＰＴＴプラグ、ＣＴＴプラグが一体として構成されているため、両プラグの接続・締め付け確認の労力が削減でき、また、接続ミスを防止することができる。
【００４４】
さらに他の実施例として、電圧電流測定装置１と各プラグ１２１、１２２をコネクタを介して接続し、計器類（測定手段）を装置本体に収納するようにしてもよい。以下、図８を用いて本実施例を説明する。この図において、ＰＴＴプラグ１２１は、接続用ケーブル１２１ａおよびコネクタ１２１ｂを介して、電圧電流測定装置本体１ａと接続されている。同様に、ＣＴＴプラグ１２２も接続用ケーブル１２２ａおよびコネクタ１２２ｂを介して、装置本体１ａと接続されている。また、装置本体１ａには、電圧測定回路（電圧測定手段）１４１と電流測定回路（電流測定手段）１４２が収納されている。
【００４５】
このように一体化したときの、電圧、電流測定手順を図１０に示す。図６との違いは、計測準備処理において、各プラグの接続作業（Ｓ３０１）、計器類の接続作業（Ｓ３０２）、および、締め付け確認作業（Ｓ３０３）が省略されていることである。また、電圧電流測定装置の電圧測定回路および電流測定回路のテスターチェックを行う際も、図３に示すように個別に配線する方式に比べて簡略化できる。なお、電圧測定手段や電流測定手段を一体型にした場合は、予め接続確認用のチェックピンを外部に設けるようにしておくとチェック作業を効率的に行うことができる。
【００４６】
なお、図９のように、計器類をコネクタにより着脱可能な構成にすれば、計器のみを分離して校正できるので、保守性が向上する。
【００４７】
また、図８において、電圧測定手段１４１の電圧データ、および、電流測定手段１４２の電流データを取り込み、遠隔のサーバへ送信する通信手段を設けるようにすれば、サーバで集中的にデータの処理ができるので作業効率が向上する。さらに、系統の状態をサーバ側で解析して、その状態に基づいて測定ポイントの指令や測定順序の指示をサーバから電圧電流測定装置へ送信するようにしてもよい。
【００４８】
【発明の効果】
以上説明したように、本発明によれば、ヒューマンエラーの可能性を低減し、設備を運用状態に保ちながら簡単な手順で安全に電圧、電流を測定することが可能となる。
【図面の簡単な説明】
【図１】本発明の実施の形態の配電盤用電圧電流測定装置の外形図
【図２】図１の配電盤用電圧電流測定装置の内部結線と外部装置との接続状態の説明図
【図３】図１の配電盤用電圧電流測定装置の各端子とプラグ、計器類との配線図
【図４】本発明の実施の形態による電圧測定手順を示すフローチャート
【図５】本発明の実施の形態による電流測定手順を示すフローチャート
【図６】本発明の実施の形態による電圧および電流測定手順を示すフローチャート
【図７】本発明の他の実施例における配電盤用電圧電流測定装置、および、計器類の外形図
【図８】本発明の他の実施例における配電盤用電圧電流測定装置の外形図
【図９】本発明の他の実施例における配電盤用電圧電流測定装置の外形図
【図１０】本発明の他の実施例における電圧および電流測定手順を示すフローチャート
【図１１】従来の電圧、電流測定時の機器の配線図
【図１２】従来の電圧測定手順を示すフローチャート
【図１３】従来の電流測定手順を示すフローチャート
【符号の説明】
１…配電盤用電圧電流測定装置、１ａ…配電盤用電圧電流測定装置本体、１０１…電圧出力切替器、１０２…電流出力切替器、１０３…赤相入力端子、１０４…白相入力端子、１０５…青相入力端子、１０６…零相入力端子、１０７…ＣＴＴ上側赤相入力端子、１０８…ＣＴＴ上側赤相入力端子、１０９…ＣＴＴ上側赤相入力端子、１１０…ＣＴＴ上側赤相入力端子、１１１…ＣＴＴ上側赤相入力端子、１１２…ＣＴＴ上側赤相入力端子、１１３…ＣＴＴ上側赤相入力端子、１１４…ＣＴＴ上側赤相入力端子、１１５，１１６…電圧出力端子、１１７，１１８…電流出力端子、１３１…電圧計、１３２…電流計、１２１ａ、１２２ａ、１３１ａ、１３２ａ…接続ケーブル、１２１ｂ、１２２ｂ、１３１ｂ、１３２ｂ…コネクタ、１４１…電圧測定回路、１４２…電流測定回路
【図１】
2005080320.tif 000003
【図２】
2005080320.tif 000004
【図３】
2005080320.tif 000005
【図４】
2005080320.tif 000006
【図５】
2005080320.tif 000007
【図６】
2005080320.tif 000008
【図７】
2005080320.tif 000009
【図８】
2005080320.tif 000010
【図９】
2005080320.tif 000011
【図１０】
2005080320.tif 000012
【図１１】
2005080320.tif 000013
【図１２】
2005080320.tif 000014
【図１３】
2005080320.tif 000015